(57)【要約】【課題】可搬型記憶媒体の記憶可能な容量が少なくなるのを抑制しながら、データをデータの種類毎に分けて容易に取得することが可能なデータ再生システムを提供する。【解決手段】このデータ再生システム１００では、ストレージ装置１の制御部１１は、可搬型記憶媒体４に保存されているコンテンツデータを不揮発性保存領域１５に保存する際に、可搬型記憶媒体４が有するＩＤと関連付けてコンテンツデータを保存するように構成され、表示装置３の制御部３１は、可搬型記憶媒体４が接続された場合に、接続された可搬型記憶媒体４に対応するＩＤと関連付けられたコンテンツデータをストレージ装置１から取得するように構成されている。【選択図】図１
2011086352.tif 000002
【特許請求の範囲】
【請求項１】
第１制御部と、記憶媒体識別情報を有する可搬型記憶媒体に保存されている第１データの保存が可能なストレージ部とを含むストレージ装置と、
前記可搬型記憶媒体が接続可能に構成されるとともに、第２制御部を含み、前記可搬型記憶媒体から前記ストレージ装置に保存された前記第１データを再生することが可能な再生装置とを備え、
前記ストレージ装置の第１制御部は、前記可搬型記憶媒体に保存されている前記第１データを前記ストレージ部に保存する際に、前記可搬型記憶媒体が有する記憶媒体識別情報と関連付けて前記第１データを保存するように構成され、
前記再生装置の第２制御部は、前記可搬型記憶媒体が前記再生装置に接続された場合に、少なくとも接続された前記可搬型記憶媒体に対応する前記記憶媒体識別情報と関連付けられた前記第１データを前記ストレージ装置から取得するように構成されている、データ再生システム。
【請求項２】
前記ストレージ装置と前記再生装置とは、内部ネットワークを介して互いに通信可能に構成されているとともに、前記再生装置は、前記内部ネットワークを介して、前記ストレージ装置から、前記接続された可搬型記憶媒体に対応する前記記憶媒体識別情報と関連付けられたデータを取得するように構成されている、請求項１に記載のデータ再生システム。
【請求項３】
前記ストレージ装置の第１制御部は、前記再生装置の第２制御部からの要求に応じて、前記ストレージ部に記憶されている前記第１データを含む第２データを前記再生装置に送信する制御を行うように構成されており、
前記再生装置の第２制御部は、前記ストレージ装置から送信された前記第２データのうち、前記接続された可搬型記憶媒体の前記記憶媒体識別情報と関連付けられた前記第１データを選択して再生する制御を行うように構成されている、請求項１または２に記載のデータ再生システム。
【請求項４】
前記再生装置の第２制御部は、前記再生装置に前記可搬型記憶媒体が接続された場合に、前記第１データを特定するための情報データを前記ストレージ装置から前記再生装置側に送信するように前記ストレージ装置に対して要求するように構成されており、
前記ストレージ装置の第１制御部は、前記再生装置の第２制御部からの要求に応じて、前記第１データの情報データを前記再生装置に送信する制御を行うように構成されており、
前記再生装置の第２制御部は、前記ストレージ装置の第１制御部または前記再生装置の第２制御部のいずれか一方により前記接続された可搬型記憶媒体の前記記憶媒体識別情報と関連付けられた前記第１データの情報データを表示する制御を行うように構成されている、請求項１または２に記載のデータ再生システム。
【請求項５】
前記再生装置の第２制御部は、前記接続された可搬型記憶媒体の前記記憶媒体識別情報と関連付けられて表示された前記第１データの情報データの中からユーザの操作に基づいて再生すべき前記第１データの情報データを選択可能に構成されており、
前記ストレージ装置の第１制御部は、前記再生装置側で表示された前記第１データの情報データの中からユーザにより選択された前記情報データに対応する再生すべき第１データを前記再生装置に送信するように構成されており、
前記再生装置の第２制御部は、前記ストレージ装置から送信された前記再生すべき第１データを再生する制御を行うように構成されている、請求項４に記載のデータ再生システム。
【請求項６】
前記ストレージ装置の第１制御部および前記再生装置の第２制御部は、前記可搬型記憶媒体毎の固有の識別情報、前記可搬型記憶媒体の製造者の識別情報、前記可搬型記憶媒体の機種毎の識別情報、および、前記可搬型記憶媒体の製造番号のうちの少なくとも１つを前記可搬型記憶媒体の記憶媒体識別情報として取得する制御を行うように構成されている、請求項１〜５のいずれか１項に記載のデータ再生システム。
【請求項７】
前記ストレージ装置の第１制御部および前記再生装置の第２制御部は、前記可搬型記憶媒体の製造者の識別情報、前記可搬型記憶媒体の機種毎の識別情報、および、前記可搬型記憶媒体の製造番号のうちの２つ以上が組み合わされた情報を前記可搬型記憶媒体の記憶媒体識別情報として取得する制御を行うように構成されている、請求項６に記載のデータ再生システム。
【請求項８】
前記ストレージ装置と前記再生装置とは、内部ネットワークを用いることにより互いに接続可能に構成されており、
前記内部ネットワークに接続されたコンピュータをさらに備え、
前記コンピュータは、前記コンピュータに前記可搬型記憶媒体が接続された場合に、前記可搬型記憶媒体に記憶されている前記第１データを前記可搬型記憶媒体の記憶媒体識別情報と関連付けて前記ストレージ装置に記憶させる第３制御部を含む、請求項１〜７のいずれか１項に記載のデータ再生システム。
【請求項９】
前記ストレージ装置の第１制御部は、前記可搬型記憶媒体に保存されている前記第１データを前記ストレージ部に保存する際に、前記第１データの情報を特定する情報データに前記可搬型記憶媒体の記憶媒体識別情報を組み込むことにより、前記可搬型記憶媒体の記憶媒体識別情報を前記第１データに関連付けて前記ストレージ部に記憶する制御を行うように構成されている、請求項１〜８のいずれか１項に記載のデータ再生システム。
【請求項１０】
前記ストレージ装置の第１制御部は、前記可搬型記憶媒体に保存されている前記第１データを前記ストレージ部に保存する際に、前記第１データと前記可搬型記憶媒体の記憶媒体識別情報とを対応させたリストを作成することにより、前記可搬型記憶媒体の記憶媒体識別情報を前記第１データに関連付けて前記ストレージ部に記憶する制御を行うように構成されている、請求項１〜８のいずれか１項に記載のデータ再生システム。
【請求項１１】
装置本体と、
前記装置本体に設けられ、記憶媒体識別情報を有する可搬型記憶媒体が接続された場合に、少なくとも接続された前記可搬型記憶媒体に対応する前記記憶媒体識別情報と関連付けられたデータが記憶されているストレージ装置から前記データを取得する制御を行う制御部とを備える、再生装置。
【発明の詳細な説明】
【技術分野】
【０００１】
この発明は、データ再生システムおよび再生装置に関し、特に、データを再生可能なデータ再生システムおよび再生装置に関する。
【背景技術】
【０００２】
従来、データを再生可能なデータ再生システムおよび再生装置が知られている（たとえば、特許文献１および２参照）。
【０００３】
上記特許文献１には、撮像した画像にサムネイルおよびＩＤ情報を付加した転送データを転送可能なデジタルカメラ（可搬型記憶媒体）と、デジタルカメラと通信可能に構成され、デジタルカメラから転送された転送データを蓄積するサーバとを備える画像蓄積システム（データ再生システム）が開示されている。上記特許文献１による画像蓄積システムのデジタルカメラは、サーバに転送データを転送した際に、転送データのうち転送データを特定するためのサムネイルおよびＩＤ情報を消去することなくデジタルカメラに残すように構成されている。そして、ユーザがデジタルカメラでサーバに蓄積した画像を見たい場合には、ユーザがデジタルカメラに残っているサムネイルおよびＩＤ情報から見たい画像を選択するとともに、選択したＩＤ情報をサーバに転送する操作を行うことにより、サーバは、デジタルカメラから転送されたＩＤ情報を元に画像を選択し、選択した画像をデジタルカメラに転送するように構成されている。
【０００４】
また、上記特許文献２には、個人情報毎に決められたデータサーバと、個人情報毎の各データサーバに接続可能であるとともに、ＩＤカードに記憶された情報を読み取るカード読取部を有する画像表示装置（再生装置）とを備える画像通信システム（データ再生システム）が開示されている。上記特許文献２による画像通信システムでは、ユーザがＩＤカードを画像表示装置のカード読取部に読み込ませた場合に、画像表示装置は、読み込ませたＩＤカードに対応するデータサーバと接続され、接続されたデータサーバからデータを取得可能に構成されている。
【先行技術文献】
【特許文献】
【０００５】
【特許文献１】特開２００２−１８３１６７号公報
【特許文献２】特許第３８８２１８２号公報
【発明の概要】
【発明が解決しようとする課題】
【０００６】
しかしながら、上記特許文献１に記載の画像蓄積システム（データ再生システム）では、サーバに蓄積した画像を見る（再生する）ために、デジタルカメラ（可搬型記憶媒体）に再生可能な転送データを特定するためのサムネイルおよび転送データのＩＤ情報（情報データ）を記憶させた後、転送データを特定するための情報データ（サムネイルおよび転送データのＩＤ情報）を記憶した状態で維持する必要があるという不都合がある。このため、転送データを特定する情報データ（サムネイルおよび転送データのＩＤ情報）をデジタルカメラから消去することができないため、転送データを特定する情報データ（サムネイルおよび転送データのＩＤ情報）分、デジタルカメラ（可搬型記憶媒体）の記憶可能な容量が少なくなるという問題点がある。
【０００７】
また、上記特許文献２に記載の画像通信システム（データ再生システム）では、ＩＤカードに対応するデータサーバに記憶されたデータを取得することが可能である一方で、データサーバに複数種類のデータが記憶されている場合には、ＩＤカードはデータサーバ単位でしか分類することができないため、１つのデータサーバに記憶された複数種類のデータをデータの種類毎に分けて取得することができないという問題点がある。
【０００８】
この発明は、上記のような課題を解決するためになされたものであり、この発明の１つの目的は、可搬型記憶媒体の記憶可能な容量が少なくなるのを抑制しながら、データをデータの種類毎に分けて容易に取得することが可能なデータ再生システムおよび再生装置を提供することである。
【課題を解決するための手段および発明の効果】
【０００９】
この発明の第１の局面によるデータ再生システムは、第１制御部と、記憶媒体識別情報を有する可搬型記憶媒体に保存されている第１データの保存が可能なストレージ部とを含むストレージ装置と、可搬型記憶媒体が接続可能に構成されるとともに、第２制御部を含み、可搬型記憶媒体からストレージ装置に保存された第１データを再生することが可能な再生装置とを備え、ストレージ装置の第１制御部は、可搬型記憶媒体に保存されている第１データをストレージ部に保存する際に、可搬型記憶媒体が有する記憶媒体識別情報と関連付けて第１データを保存するように構成され、再生装置の第２制御部は、可搬型記憶媒体が再生装置に接続された場合に、少なくとも接続された可搬型記憶媒体に対応する記憶媒体識別情報と関連付けられた第１データをストレージ装置から取得するように構成されている。
【００１０】
この第１の局面によるデータ再生システムでは、上記のように、再生装置に可搬型記憶媒体が接続された場合に、少なくとも接続された可搬型記憶媒体に対応する記憶媒体識別情報と関連付けられた第１データをストレージ装置から取得するように構成された第２制御部を再生装置に設けることによって、記憶媒体識別情報を用いることにより、可搬型記憶媒体に対応する記憶媒体識別情報と関連付けられた第１データを取得することができるので、可搬型記憶媒体に、データ（第１データ）を特定するための情報データ（たとえば、サムネイルなどのメタデータ）を記憶させた状態で維持する必要がない。これにより、データを特定するための情報データを可搬型記憶媒体に記憶させた状態で維持する必要がない分、可搬型記憶媒体の記憶可能な容量が少なくなるのを抑制することができる。また、可搬型記憶媒体に保存されている第１データをストレージ部に保存する際に、可搬型記憶媒体が有する記憶媒体識別情報と関連付けて第１データを保存するように構成された第１制御部をストレージ装置に設けるとともに、再生装置に可搬型記憶媒体が接続された場合に、少なくとも接続された可搬型記憶媒体に対応する記憶媒体識別情報と関連付けられた第１データをストレージ装置から取得するように構成された第２制御部を再生装置に設けることによって、１つのストレージ部に複数の可搬型記憶媒体に対応するデータが保存されている場合にも、接続された可搬型記憶媒体と関連付けられた第１データのみを取得することができるので、データをデータの種類毎に分けて容易に取得することができる。
【００１１】
上記第１の局面によるデータ再生システムにおいて、好ましくは、ストレージ装置と再生装置とは、内部ネットワークを介して互いに通信可能に構成されているとともに、再生装置は、内部ネットワークを介して、ストレージ装置から、接続された可搬型記憶媒体に対応する記憶媒体識別情報と関連付けられたデータを取得するように構成されている。このように構成すれば、再生装置内や可搬型記憶媒体にデータが保存されていない場合にも、再生装置に可搬型記憶媒体を接続することにより、ホームネットワークなどの内部ネットワークを介してストレージ装置から再生装置にデータが送信されるとともに、再生装置でデータを再生することができる。
【００１２】
上記第１の局面によるデータ再生システムにおいて、好ましくは、ストレージ装置の第１制御部は、再生装置の第２制御部からの要求に応じて、ストレージ部に記憶されている第１データを含む第２データを再生装置に送信する制御を行うように構成されており、再生装置の第２制御部は、ストレージ装置から送信された第２データのうち、接続された可搬型記憶媒体の記憶媒体識別情報と関連付けられた第１データを選択して再生する制御を行うように構成されている。このように構成すれば、再生装置に接続された可搬型記憶媒体の記憶媒体識別情報と関連付けられた第１データを再生装置側で第２データから選択することができるので、ストレージ装置に第２データから第１データを選択させる場合と比べて、ストレージ装置の負荷を低減することができる。
【００１３】
上記第１の局面によるデータ再生システムにおいて、好ましくは、再生装置の第２制御部は、再生装置に可搬型記憶媒体が接続された場合に、第１データを特定するための情報データをストレージ装置から再生装置側に送信するようにストレージ装置に対して要求するように構成されており、ストレージ装置の第１制御部は、再生装置の第２制御部からの要求に応じて、第１データの情報データを再生装置に送信する制御を行うように構成されており、再生装置の第２制御部は、ストレージ装置の第１制御部または再生装置の第２制御部のいずれか一方により接続された可搬型記憶媒体の記憶媒体識別情報と関連付けられた第１データの情報データを表示する制御を行うように構成されている。このように構成すれば、再生装置の第２制御部からの要求に応じて、第１データの情報データを再生装置に送信することにより、第１データよりも第１データに含まれる情報データの方がデータ量が少ないので、データ量の少ない情報データを利用して再生すべき第１データを選択することができる。これにより、再生すべき第１データを選択する際のストレージ装置と再生装置との通信負荷を低減することができる。
【００１４】
この場合において、好ましくは、再生装置の第２制御部は、接続された可搬型記憶媒体の記憶媒体識別情報と関連付けられて表示された第１データの情報データの中からユーザの操作に基づいて再生すべき第１データの情報データを選択可能に構成されており、ストレージ装置の第１制御部は、再生装置側で表示された第１データの情報データの中からユーザにより選択された情報データに対応する再生すべき第１データを再生装置に送信するように構成されており、再生装置の第２制御部は、ストレージ装置から送信された再生すべき第１データを再生する制御を行うように構成されている。このように構成すれば、ストレージ装置の第１制御部により、第１データのうちのユーザによって選択された再生すべきデータのみが再生装置に送信されるので、再生装置に第１データのすべてを送信する場合と比べて、第１データの再生時におけるストレージ装置と再生装置との通信負荷を低減することができる。
【００１５】
上記第１の局面によるデータ再生システムにおいて、好ましくは、ストレージ装置の第１制御部および再生装置の第２制御部は、可搬型記憶媒体毎の固有の識別情報、可搬型記憶媒体の製造者の識別情報、可搬型記憶媒体の機種毎の識別情報、および、可搬型記憶媒体の製造番号のうちの少なくとも１つを可搬型記憶媒体の記憶媒体識別情報として取得する制御を行うように構成されている。このように構成すれば、記憶媒体識別情報が記憶媒体毎の固有の識別情報の場合には、容易に、可搬型記憶媒体毎に記憶媒体識別情報を取得することができる。また、可搬型記憶媒体の製造者の識別情報、記憶媒体の機種毎の識別情報、および、記憶媒体の製造番号を組み合わせることにより、可搬型記憶媒体毎の記憶媒体識別情報が取得できない場合でも、識別情報の固有性を高くすることができる。
【００１６】
この場合において、好ましくは、ストレージ装置の第１制御部および再生装置の第２制御部は、可搬型記憶媒体の製造者の識別情報、可搬型記憶媒体の機種毎の識別情報、および、可搬型記憶媒体の製造番号のうちの２つ以上が組み合わされた情報を可搬型記憶媒体の記憶媒体識別情報として取得する制御を行うように構成されている。このように構成すれば、可搬型記憶媒体毎の固有の識別情報が取得できない場合でも、容易に、識別情報の固有性を高くすることができる。
【００１７】
上記第１の局面によるデータ再生システムにおいて、好ましくは、ストレージ装置と再生装置とは、内部ネットワークを用いることにより互いに接続可能に構成されており、内部ネットワークに接続されたコンピュータをさらに備え、コンピュータは、コンピュータに可搬型記憶媒体が接続された場合に、可搬型記憶媒体に記憶されている第１データを可搬型記憶媒体の記憶媒体識別情報と関連付けてストレージ装置に記憶させる第３制御部を含む。このように構成すれば、ストレージ装置に可搬型記憶媒体を接続することができるインターフェースがない場合にも、ストレージ装置と内部ネットワークにより接続されたコンピュータを介して、可搬型記憶媒体に記憶されている第１データを可搬型記憶媒体の記憶媒体識別情報と関連付けてストレージ装置に記憶させることができる。
【００１８】
上記第１の局面によるデータ再生システムにおいて、好ましくは、ストレージ装置の第１制御部は、可搬型記憶媒体に保存されている第１データをストレージ部に保存する際に、第１データの情報を特定する情報データに可搬型記憶媒体の記憶媒体識別情報を組み込むことにより、可搬型記憶媒体の記憶媒体識別情報を第１データに関連付けてストレージ部に記憶する制御を行うように構成されている。このように構成すれば、可搬型記憶媒体の記憶媒体識別情報と第１データとを一体化することができるので、第１データと可搬型記憶媒体の記憶媒体識別情報とを容易に関連付けることができる。
【００１９】
上記第１の局面によるデータ再生システムにおいて、好ましくは、ストレージ装置の第１制御部は、可搬型記憶媒体に保存されている第１データをストレージ部に保存する際に、第１データと可搬型記憶媒体の記憶媒体識別情報とを対応させたリストを作成することにより、可搬型記憶媒体の記憶媒体識別情報を第１データに関連付けてストレージ部に記憶する制御を行うように構成されている。このように構成すれば、可搬型記憶媒体の記憶媒体識別情報と第１データとが一体化できない場合にも、リストにより、第１データと可搬型記憶媒体の記憶媒体識別情報とを容易に関連付けることができる。
【００２０】
この発明の第２の局面による再生装置は、装置本体と、装置本体に設けられ、記憶媒体識別情報を有する可搬型記憶媒体が接続された場合に、少なくとも接続された可搬型記憶媒体に対応する記憶媒体識別情報と関連付けられたデータが記憶されているストレージ装置からデータを取得する制御を行う制御部とを備える。
【００２１】
この発明の第２の局面による再生装置では、上記のように、再生装置に可搬型記憶媒体が接続された場合に、少なくとも接続された可搬型記憶媒体に対応する記憶媒体識別情報と関連付けられたデータをストレージ装置から取得するように構成された制御部を設けることによって、記憶媒体識別情報を用いることにより、可搬型記憶媒体に対応する記憶媒体識別情報と関連付けられたデータを取得することができるので、可搬型記憶媒体に、データの情報を特定する情報データ（たとえば、サムネイルなどのメタデータ）を記憶させた状態で維持する必要がない。これにより、データの情報を特定する情報データを可搬型記憶媒体に記憶させた状態で維持する必要がない分、可搬型記憶媒体の記憶可能な容量が少なくなるのを抑制することができる。また、再生装置に可搬型記憶媒体が接続された場合に、少なくとも接続された可搬型記憶媒体に対応する記憶媒体識別情報と関連付けられたデータをストレージ装置から取得するように構成された制御部を設けることによって、１つのストレージ部に複数の可搬型記憶媒体に対応するデータが保存されている場合にも、接続された可搬型記憶媒体と関連付けられたデータのみを取得することができるので、データをデータの種類毎に分けて容易に取得することができる。
【図面の簡単な説明】
【００２２】
【図１】本発明の第１実施形態によるデータ再生システムの全体構成を示した図である。
【図２】本発明の第１実施形態によるストレージ装置の構成を示したブロック図である。
【図３】本発明の第１実施形態によるストレージ装置の制御部の構成を示したブロック図である。
【図４】本発明の第１実施形態による表示装置の構成を示したブロック図である。
【図５】本発明の第１実施形態によるストレージ装置のコンテンツデータを保存する動作を説明するためのフローチャートである。
【図６】本発明の第１実施形態によるストレージ装置のコンテンツデータとＩＤとを関連付けて保存する際の動作を説明するためのフローチャートである。
【図７】本発明の第１実施形態によるストレージ装置のコンテンツデータを保存する動作を説明するための図である。
【図８】本発明の第１実施形態によるコンテンツデータを表示する動作を説明するためのフローチャートである。
【図９】本発明の第１実施形態による表示装置のメタデータ要求動作を説明するための図である。
【図１０】本発明の第１実施形態による表示装置のコンテンツ再生時の動作を説明するための図である。
【図１１】本発明の第２実施形態によるコンテンツデータを表示する動作を説明するためのフローチャートである。
【図１２】本発明の第２実施形態による表示装置のコンテンツデータ要求動作を説明するための図である。
【図１３】本発明の第３実施形態によるコンテンツデータを表示する動作を説明するためのフローチャートである。
【図１４】本発明の第３実施形態による表示装置のメタデータ要求動作を説明するための図である。
【図１５】本発明の第４実施形態によるコンテンツデータを表示する動作を説明するためのフローチャートである。
【図１６】本発明の第４実施形態による表示装置のコンテンツデータ要求動作を説明するための図である。
【図１７】本発明の第５実施形態によるストレージ装置のコンテンツデータとＩＤとを関連付けリストに保存する際の動作を説明するためのフローチャートである。
【図１８】本発明の第５実施形態によるストレージ装置の不揮発性保存領域に設けられる関連付けリストを示した図である。
【図１９】本発明の第１〜第５実施形態の変形例によるデータ再生システムの全体構成を示した図である。
【発明を実施するための形態】
【００２３】
以下、本発明を具体化した実施形態を図面に基づいて説明する。
【００２４】
（第１実施形態）
図１を参照して、本発明の第１実施形態によるデータ再生システム１００の構成について説明する。
【００２５】
本発明の第１実施形態によるデータ再生システム１００は、図１に示すように、ネットワークに接続可能なサーバやハードディスクからなるストレージ装置１と、ストレージ装置１に接続されるルータ２と、ルータ２に接続される表示装置３とから構成されている。また、ストレージ装置１および表示装置３は、可搬型記憶媒体４が接続可能なように構成されている。これらストレージ装置１とルータ２と表示装置３とは、無線ＬＡＮやＬＡＮなどを利用したホームネットワーク（内部ネットワーク）により接続されている。また、可搬型記憶媒体４は、ＳＤカード、ＵＳＢメモリ、コンパクトフラッシュ（登録商標）などからなる。なお、コンパクトフラッシュ（登録商標）とは、持ち運び可能な小型のメモリーカードの一種である。ここで、第１実施形態では、ＳＤカードは、ＳＤカードに固有のメディアＩＤを有する。また、ＵＳＢメモリは、プロダクトＩＤ（機種毎のＩＤ）、ベンダーＩＤ（製造者のＩＤ）およびシリアルナンバー（製造番号）を有する。また、コンパクトフラッシュ（登録商標）は、コンパクトフラッシュ（登録商標）に固有のユニークＩＤ、または、プロダクトＩＤおよびベンダーＩＤを有する。なお、表示装置３は、本発明の「再生装置」の一例である。また、ホームネットワークは、本発明の「内部ネットワーク」の一例である。
【００２６】
図２に示すように、ストレージ装置１は、制御部１１、メモリ１２、入力Ｉ／Ｆ１３、出力Ｉ／Ｆ１４、不揮発性保存領域１５、記憶媒体接続Ｉ／Ｆ１６およびネットワークＩ／Ｆ１７から構成されている。制御部１１、メモリ１２、入力Ｉ／Ｆ１３、出力Ｉ／Ｆ１４、不揮発性保存領域１５、記憶媒体接続Ｉ／Ｆ１６およびネットワークＩ／Ｆ１７は、互いにバス１８を介して接続されている。なお、制御部１１は、本発明の「第１制御部」の一例であり、不揮発性保存領域１５は、本発明の「ストレージ部」の一例である。
【００２７】
メモリ１２は、制御部１１が直接読み書きできるＲＡＭやＲＯＭなどの半導体記憶装置からなる。入力Ｉ／Ｆ１３は、ストレージ装置１と、キーボードやマウス、リモコンなどの入力装置とを接続するために設けられている。出力Ｉ／Ｆ１４は、ストレージ装置１と出力装置とを接続するために設けられている。不揮発性保存領域１５は、可搬型記憶媒体４に保存されている画像などのコンテンツデータを保存する機能を有する。記憶媒体接続Ｉ／Ｆ１６は、ストレージ装置１と可搬型記憶媒体４とを接続するために設けられている。ネットワークＩ／Ｆ１７は、ストレージ装置１とルータ２とを接続するために設けられている。
【００２８】
また、図３に示すように、制御部１１は、ＣＰＵからなるとともに、コンテンツデータ保存手段１１１と、コンテンツデータ・固有ＩＤ関連保存手段１１２とを備えている。実際には、制御部１１を構成するＣＰＵが、コンテンツデータ保存手段１１１およびコンテンツデータ・固有ＩＤ関連保存手段１１２として機能する。
【００２９】
コンテンツデータ保存手段１１１は、可搬型記憶媒体４に保存されているコンテンツデータを、ストレージ装置１の不揮発性保存領域１５に保存する機能を有する。コンテンツデータ・固有ＩＤ関連保存手段１１２は、可搬型記憶媒体４に保存されているコンテンツデータと、可搬型記憶媒体４のＩＤ（メディアＩＤ、ベンダーＩＤ、プロダクトＩＤ、シリアルナンバーなど）とを関連付けるとともに、関連付けの情報を不揮発性保存領域１５に保存する機能を有する。なお、メディアＩＤ、ベンダーＩＤ、プロダクトＩＤ、シリアルナンバーは、本発明の「記憶媒体識別情報」の一例である。
【００３０】
図４に示すように、表示装置３は、たとえば写真画像データを電気的に表示可能な電気的フォトフレームからなり、制御部３１、メモリ３２、入力Ｉ／Ｆ３３、表示部３４、音声出力部３５、記憶媒体接続Ｉ／Ｆ３６およびネットワークＩ／Ｆ３７により構成されている。制御部３１、メモリ３２、入力Ｉ／Ｆ３３、表示部３４、音声出力部３５、記憶媒体接続Ｉ／Ｆ３６およびネットワークＩ／Ｆ３７は、互いにバス３８を介して接続されているとともに、フォトフレーム型の筐体３９（図１参照）により覆われている。なお、制御部３１は、本発明の「第２制御部」の一例である。
【００３１】
入力Ｉ／Ｆ３３は、表示装置３と、キーボードやマウス、リモコンなどの入力装置とを接続するために設けられている。表示部３４は、インターネットを介して取得したストレージ装置１に保存されている画像などのコンテンツデータを表示する機能を有する。記憶媒体接続Ｉ／Ｆ３６は、表示装置３と可搬型記憶媒体４とを接続するために設けられている。ネットワークＩ／Ｆ３７は、表示装置３とルータ２とを接続するために設けられている。なお、コンテンツデータは、本発明の「第１データ」および「第２データ」の一例であり、特に、可搬型記憶媒体４に保存されているコンテンツデータは、本発明の「第１データ」の一例である。
【００３２】
次に、図３および図５〜図７を参照して、第１実施形態による可搬型記憶媒体４に保存されているコンテンツデータをストレージ装置１に保存する保存フロー（ストレージ装置１の制御部１１による制御フロー）について説明する。なお、第１実施形態では、可搬型記憶媒体４にはデジタルカメラなどで撮影された画像などのコンテンツデータが保存されているとする。
【００３３】
図５に示すように、ステップＳ１において、ストレージ装置１の制御部１１により、可搬型記憶媒体４がストレージ装置１の記憶媒体接続Ｉ／Ｆ１６に接続されたか否かが判断される。そして、制御部１１により、可搬型記憶媒体４が記憶媒体接続Ｉ／Ｆ１６に接続されたと判断された場合には、ステップＳ２に進む。また、ステップＳ１において、制御部１１により、可搬型記憶媒体４が記憶媒体接続Ｉ／Ｆ１６に接続されていないと判断された場合には、可搬型記憶媒体４が記憶媒体接続Ｉ／Ｆ１６に接続されたと判断するまで、ステップＳ１の判断が繰り返される。
【００３４】
次に、ステップＳ２において、制御部１１により、可搬型記憶媒体４に保存されているコンテンツデータのユーザによる保存操作が発生したか否かが判断される。そして、コンテンツデータの保存操作が発生したと判断された場合には、ステップＳ３に進む。また、ステップＳ２において、コンテンツデータの保存操作が発生していないと判断された場合には、コンテンツデータの保存操作が発生したと判断されるまで、ステップＳ２の判断が繰り返される。
【００３５】
次に、ステップＳ３において、制御部１１により、ストレージ装置１に接続された可搬型記憶媒体４から固有の識別情報（ユニークＩＤ）を取得可能であるか否かが判断される。そして、ステップＳ３において、可搬型記憶媒体４からユニークＩＤを取得可能であると判断された場合には、図５および図７に示すように、ステップＳ４に進む。そして、ステップＳ４において、制御部１１により、ユニークＩＤが取得される。なお、ステップＳ４において、可搬型記憶媒体４がＳＤカードの場合には、ＳＤカードに固有のメディアＩＤが取得される。また、図５に示すように、ステップＳ３において、可搬型記憶媒体４からユニークＩＤを取得可能ではないと判断された場合には、ステップＳ５に進む。そして、ステップＳ５において、制御部１１により、可搬型記憶媒体４からプロダクトＩＤ、ベンダーＩＤ、シリアルナンバーなどが取得される。具体的には、制御部１１により、プロダクトＩＤ、ベンダーＩＤ、シリアルナンバーが組み合わされたものが可搬型記憶媒体４のＩＤ（記憶媒体識別情報）として取得される。
【００３６】
その後、図５および図７に示すように、ステップＳ６において、制御部１１により、コンテンツデータが取得され、ステップＳ７に進む。そして、図５に示すように、第１実施形態では、ステップＳ７において、制御部１１のコンテンツデータ・固有ＩＤ関連保存手段１１２（図３参照）により、可搬型記憶媒体４から取得したＩＤとコンテンツデータとの関連付け保存処理が行われる。
【００３７】
具体的には、このステップＳ７の関連付け保存処理では、図６に示すように、ステップＳ１１において、制御部１１により、可搬型記憶媒体４から取得したコンテンツデータの情報を特定する情報データ（メタデータ）にＩＤが組み込まれる。これにより、コンテンツデータに可搬型記憶媒体４から取得したＩＤが関連付けられる。その後、ステップＳ１２において、制御部１１により、ＩＤを含むメタデータを埋め込んだコンテンツデータがストレージ装置１の不揮発性保存領域１５に保存される。これにより、可搬型記憶媒体４から取得したＩＤ（記憶媒体識別情報）とコンテンツデータとが関連付け保存される。
【００３８】
次に、図８〜図１０を参照して、第１実施形態による表示装置３によるコンテンツデータの再生フロー（再生装置３の制御部３１およびストレージ装置１の制御部１１による制御フロー）について説明する。
【００３９】
図８に示すように、ステップＳ２１において、表示装置３の制御部３１により、可搬型記憶媒体４が記憶媒体接続Ｉ／Ｆ３６に接続されたか否かが判断される。そして、ステップＳ２１において、可搬型記憶媒体４が記憶媒体接続Ｉ／Ｆ３６に接続されたと判断された場合には、ステップＳ２２に進む。また、ステップＳ２１において、可搬型記憶媒体４が記憶媒体接続Ｉ／Ｆ３６に接続されていないと判断された場合には、可搬型記憶媒体４が接続されたと判断されるまでステップＳ２１の判断が繰り返される。
【００４０】
次に、ステップＳ２２において、表示装置３の制御部３１により、可搬型記憶媒体４から固有のＩＤ（ユニークＩＤ）を取得可能であるか否かが判断される。そして、ステップＳ２２において、制御部３１により、可搬型記憶媒体４からユニークＩＤを取得可能であると判断された場合には、図８および図９に示すように、ステップＳ２３に進む。そして、ステップＳ２３において、制御部３１により、ユニークＩＤが取得される。なお、ステップＳ２３において、可搬型記憶媒体４がＳＤカードの場合には、ＳＤカードに固有のメディアＩＤが取得される。また、図９に示すように、ステップＳ２２において、制御部３１により、可搬型記憶媒体４からユニークＩＤが取得可能ではないと判断された場合には、ステップＳ２４に進む。そして、ステップＳ２４において、制御部３１により、可搬型記憶媒体４からプロダクトＩＤ、ベンダーＩＤ、シリアルナンバーなどが取得される。具体的には、制御部３１により、プロダクトＩＤ、ベンダーＩＤ、シリアルナンバーが組み合わされたものが可搬型記憶媒体４のＩＤ（記憶媒体識別情報）として取得される。
【００４１】
その後、ステップＳ２５において、表示装置３の制御部３１により、ユーザによりコンテンツデータの再生要求に係る操作が行われているか、または、コンテンツデータの自動再生設定が行われているか否かが判断される。そして、ステップＳ２５において、表示装置３の制御部３１により、ユーザによりコンテンツデータの再生要求に係る操作が行われている、または、コンテンツデータの自動再生設定が行われていると判断された場合には、ステップＳ２６に進む。また、ステップＳ２５において、表示装置３の制御部３１により、ユーザによりコンテンツデータの再生要求に係る操作が行われていない、または、コンテンツデータの自動再生設定が行われていないと判断された場合には、ユーザによりコンテンツデータの再生要求に係る操作が行われている、または、コンテンツデータの自動再生設定が行われていると判断されるまで、ステップＳ２５の判断が繰り返される。
【００４２】
そして、図８および図９に示すように、ステップＳ２６において、表示装置３の制御部３１により、ストレージ装置１に保存されているコンテンツデータのメタデータ（可搬型記憶媒体４のＩＤおよびコンテンツデータのサムネイル画像を含む）をネットワークＩ／Ｆ１７を介して表示装置３側に送信するように、ストレージ装置１にメタデータ要求信号が送信される。
【００４３】
この表示装置３から送信されたメタデータ要求信号に応じて、図８に示すように、ステップＳ４１において、ストレージ装置１の制御部１１により、表示装置３から送信されたメタデータ要求信号を受信したか否かが判断される。そして、ステップＳ４１において、制御部１１により、表示装置３から送信されたメタデータ要求信号を受信したと判断された場合には、ステップＳ４２に進む。また、ステップＳ４１において、表示装置３から送信されたメタデータ要求信号を受信していないと判断された場合には、表示装置３から送信されたメタデータ要求信号を受信したと判断されるまで、ステップＳ４１の判断が繰り返される。
【００４４】
その後、ステップＳ４２において、図８および図９に示すように、ストレージ装置１の制御部１１により、ＩＤおよびコンテンツデータのサムネイル画像を含むメタデータが表示装置３側に送信される。
【００４５】
一方、図８に示すように、表示装置３の制御部３１では、ステップＳ２７において、ストレージ装置１から送信されたＩＤおよびサムネイル画像を含むメタデータを受信したか否かが判断される。そして、ステップＳ２７において、表示装置３の制御部３１により、ストレージ装置１から送信されたＩＤおよびサムネイル画像を含むメタデータを受信していないと判断された場合には、ステップＳ２８に進む。そして、ステップＳ２８において、表示装置３の制御部３１により、ＩＤおよびサムネイル画像を含むメタデータの受信可能な時間が経過した（受信タイムアウト）か否かが判断される。そして、ステップＳ２８において、制御部３１により、ＩＤおよびサムネイル画像を含むメタデータの受信可能な時間が経過したと判断された場合には、第１実施形態による再生フローが終了する。また、ステップＳ２８において、制御部３１により、ＩＤおよびサムネイル画像を含むメタデータの受信可能な時間が経過していないと判断された場合には、ステップＳ２７に戻る。
【００４６】
また、ステップＳ２７において、表示装置３の制御部３１により、ストレージ装置１から送信されたＩＤおよびサムネイル画像を含むメタデータを受信したと判断された場合には、ステップＳ２９に進む。
【００４７】
そして、第１実施形態では、ステップＳ２９において、表示装置３の制御部３１により、ストレージ装置１から送信されたＩＤおよびサムネイル画像を含むメタデータのうち、表示装置３に接続されている可搬型記憶媒体４のＩＤと一致するメタデータが選択され、メタデータのサムネイル画像が表示部３４に表示される。すなわち、制御部３１は、可搬型記憶媒体４のＩＤと一致するデータを選択する。
【００４８】
その後、ステップＳ３０において、表示装置３の制御部３１により、表示部３４に表示されたサムネイル画像に基づいて、再生したいコンテンツデータ要求操作（選択操作）がユーザにより行われたか否かが判断される。そして、ステップＳ３０において、再生したいコンテンツデータ要求操作がユーザにより行われたと判断された場合には、ステップＳ３１に進む。また、ステップＳ３０において、再生したいコンテンツデータ要求操作がユーザにより行われていないと判断された場合には、再生したいコンテンツデータ要求操作がユーザにより行われたと判断されるまで、ステップＳ３０の判断が繰り返される。
【００４９】
そして、ステップＳ３１において、図８および図１０に示すように、表示装置３の制御部３１により、ステップＳ３０でユーザにより要求されたコンテンツデータの要求を行うコンテンツデータ要求信号がネットワークＩ／Ｆ１７を介してストレージ装置１に送信される。このコンテンツデータ要求信号には、ユーザにより要求されたコンテンツデータのメタデータが含まれている。
【００５０】
一方、図８に示すように、ステップＳ４３において、ストレージ装置１の制御部１１により、コンテンツデータ要求信号を受信したか否かが判断される。そして、ステップＳ４３において、ストレージ装置１の制御部１１により、コンテンツデータ要求信号を受信したと判断された場合には、ステップＳ４４に進む。また、ステップＳ４３において、コンテンツデータ要求信号を受信していないと判断された場合には、コンテンツデータ要求信号を受信したと判断されるまでステップＳ４３の判断が繰り返される。
【００５１】
その後、ステップＳ４４において、図８および図１０に示すように、ストレージ装置１の制御部１１により、ユーザにより選択されたコンテンツデータ要求信号のメタデータと不揮発性保存領域１５に保存されているコンテンツデータのメタデータとが照合される。そして、コンテンツデータ要求信号のメタデータに一致するメタデータを有するコンテンツデータが表示装置３側へ送信され、ステップＳ４１に戻る。
【００５２】
また、図８に示すように、表示装置３の制御部３１では、ステップＳ３２において、ストレージ装置１から送信されたコンテンツデータを受信したか否かが判断される。そして、ステップＳ３２において、表示装置３の制御部３１により、ストレージ装置１から送信されたコンテンツデータを受信していないと判断された場合には、ステップＳ３３に進む。そして、ステップＳ３３において、表示装置３の制御部３１により、コンテンツデータの受信可能な時間が経過した（受信タイムアウト）か否かが判断される。そして、ステップＳ３３において、コンテンツデータの受信可能な時間が経過したと判断された場合には、第１実施形態による再生フローが終了する。また、ステップＳ３３において、コンテンツデータの受信可能な時間が経過していないと判断された場合には、ステップＳ３２に戻る。
【００５３】
また、ステップＳ３２において、表示装置３の制御部３１により、ストレージ装置１から送信されたコンテンツデータを受信したと判断された場合には、ステップＳ３４に進む。そして、ステップＳ３４において、表示装置３の制御部３１により、受信したコンテンツデータが表示部３４に再生表示され、第１実施形態による再生フローが終了する。
【００５４】
第１実施形態では、上記のように、表示装置３に可搬型記憶媒体４が接続された場合に、接続された可搬型記憶媒体４に対応するＩＤと関連付けられたコンテンツデータをストレージ装置１から取得するように構成された制御部３１を表示装置３に設けることによって、ＩＤ（メディアＩＤ、プロダクトＩＤ、ベンダーＩＤ、シリアルナンバーなど）を用いることにより、可搬型記憶媒体４に対応するＩＤと関連付けられたコンテンツデータを取得することができるので、可搬型記憶媒体４に、データの情報を特定するメタデータ（たとえば、サムネイルおよびＩＤ情報など）を記憶させた状態で維持する必要がない。これにより、メタデータを可搬型記憶媒体に記憶させた状態で維持する必要がない分、可搬型記憶媒体４の記憶可能な容量が少なくなるのを抑制することができる。また、可搬型記憶媒体４に保存されているコンテンツデータを不揮発性保存領域１５に保存する際に、可搬型記憶媒体４が有するＩＤと関連付けてコンテンツデータを保存するように構成された制御部１１をストレージ装置１に設けるとともに、表示装置３に可搬型記憶媒体４が接続された場合に、接続された可搬型記憶媒体４に対応するＩＤと関連付けられたコンテンツデータをストレージ装置１から取得するように構成された制御部３１を表示装置３に設けることによって、１つのストレージ部に複数の可搬型記憶媒体に対応するコンテンツデータが保存されている場合にも、接続された可搬型記憶媒体４と関連付けられたコンテンツデータのみを取得することができるので、コンテンツデータをコンテンツデータの種類毎に分けて容易に取得することができる。
【００５５】
また、第１実施形態では、上記のように、ストレージ装置１と表示装置３とを、内部ネットワークを介して互いに通信可能に構成するとともに、表示装置３を、内部ネットワークを介して、ストレージ装置１から、接続された可搬型記憶媒体４に対応するＩＤと関連付けられたコンテンツデータを取得するように構成することによって、表示装置３内や可搬型記憶媒体４にコンテンツデータが保存されていない場合にも、表示装置３に可搬型記憶媒体４を接続することにより、ホームネットワークなどの内部ネットワークを介してストレージ装置１から表示装置３にコンテンツデータが送信されるとともに、表示装置３でコンテンツデータを再生することができる。
【００５６】
また、第１実施形態では、上記のように、ストレージ装置１の制御部１１を、表示装置３の制御部３１からの要求に応じて、コンテンツデータのメタデータ（情報データ）を再生装置に送信する制御を行うように構成するとともに、表示装置３の制御部３１を、接続された可搬型記憶媒体４のＩＤと関連付けられたコンテンツデータのメタデータを表示する制御を行うように構成することによって、表示装置３の制御部３１からの要求に応じて、コンテンツデータのメタデータ（情報データ）を表示装置３に送信することにより、コンテンツデータよりもコンテンツデータに含まれるメタデータ（情報データ）の方がデータ量が少ないので、データ量の少ないメタデータを利用して再生すべきコンテンツデータを選択することができる。これにより、再生すべきコンテンツデータを選択する際のストレージ装置１と再生装置３との通信負荷を低減することができる。
【００５７】
また、第１実施形態では、上記のように、表示装置３の制御部３１を、再生するコンテンツデータを接続された可搬型記憶媒体４のＩＤと関連付けられたコンテンツデータのメタデータの中からユーザの操作に基づいて選択可能に構成されており、ストレージ装置１の制御部１１は、表示装置３側で表示されたコンテンツデータのメタデータの中からユーザにより選択されたメタデータに対応する再生すべきコンテンツデータを表示装置３に送信するように構成するとともに、ストレージ装置１の制御部１１により、コンテンツデータのうちのユーザによって選択された再生すべきデータのみが表示装置３に送信されるので、表示装置３にコンテンツデータのすべてを送信する場合と比べて、コンテンツデータの再生時におけるストレージ装置１と表示装置３との通信負荷を低減することができる。
【００５８】
また、第１実施形態では、上記のように、ストレージ装置１の制御部１１および表示装置３の制御部３１を、可搬型記憶媒体毎のユニークＩＤ（固有の識別情報）を可搬型記憶媒体４のＩＤ（記憶媒体識別情報）として取得する制御を行うように構成することによって、容易に、可搬型記憶媒体毎にＩＤ（記憶媒体識別情報）を取得することができる。
【００５９】
また、第１実施形態では、上記のように、ストレージ装置１の制御部１１および表示装置３の制御部３１を、可搬型記憶媒体４の製造者の識別情報、可搬型記憶媒体４の機種毎の識別情報、および、可搬型記憶媒体４の製造番号のうちの２つ以上が組み合わされた情報を可搬型記憶媒体４のＩＤ（記憶媒体識別情報）として取得する制御を行うように構成することによって、可搬型記憶媒体毎のユニークＩＤが取得できない場合でも、容易に、ＩＤ（記憶媒体識別情報）の固有性を高くすることができる。
【００６０】
また、第１実施形態では、上記のように、ストレージ装置１の制御部１１を、可搬型記憶媒体４に保存されているコンテンツデータを不揮発性保存領域１５に保存する際に、コンテンツデータの種類に関する情報を特定するメタデータに可搬型記憶媒体４のＩＤを組み込むことにより、可搬型記憶媒体４のＩＤをコンテンツデータに関連付けて不揮発性保存領域１５に記憶する制御を行うように構成することによって、可搬型記憶媒体４のＩＤとコンテンツデータとを一体化することができるので、コンテンツデータと可搬型記憶媒体４のＩＤとを容易に関連付けることができる。
【００６１】
（第２実施形態）
次に、図１１および図１２を参照して、第２実施形態によるデータ再生システムについて説明する。この第２実施形態では、表示装置３の制御部３１が、コンテンツ情報（メタデータ）を要求および受信した後に、ユーザが選択したコンテンツデータを要求および受信する制御を行う上記第１実施形態と異なり、表示装置３の制御部３１が、メタデータを要求せずにコンテンツデータを要求する制御を行う例について説明する。なお、第２実施形態によるデータ再生システムの構成は、上記第１実施形態によるデータ再生システムの構成と同様なので、構成の説明は省略する。
【００６２】
次に、第２実施形態によるデータ再生システムのコンテンツデータの再生フロー（再生装置３の制御部３１およびストレージ装置１の制御部１１による制御フロー）について説明する。なお、ステップＳ２１〜ステップＳ２５は、上記第１実施形態と同様の動作なので、その説明を省略する。
【００６３】
図１１および図１２に示すように、ステップＳ５１において、表示装置３の制御部３１により、ストレージ装置１に保存されているコンテンツデータ（可搬型記憶媒体４のＩＤおよびコンテンツデータのサムネイル画像を含む）をネットワークＩ／Ｆ１７を介して表示装置３側に送信するように、ストレージ装置１にコンテンツデータ要求信号が送信される。
【００６４】
一方、図１１に示すように、ステップＳ４５において、ストレージ装置１の制御部１１により、表示装置３から送信されたコンテンツデータ要求信号を受信したか否かが判断される。そして、ステップＳ４５において、ストレージ装置１の制御部１１により、表示装置３から送信されたコンテンツデータ要求信号を受信したと判断された場合には、ステップＳ４６に進む。そして、ステップＳ４６において、図１１および図１２に示すように、ストレージ装置１の制御部１１により、ＩＤおよびサムネイル画像を含むコンテンツデータが表示装置３側に送信され、ステップＳ４５に戻る。
【００６５】
また、図１１に示すように、ステップＳ４５において、ストレージ装置１の制御部１１により、表示装置３から送信されたコンテンツデータ要求信号を受信していないと判断された場合には、表示装置３から送信されたコンテンツデータ要求信号を受信したと判断されるまで、ステップＳ４５の動作が繰り返される。
【００６６】
一方、表示装置３の制御部３１では、ステップＳ５２において、ストレージ装置１から送信されたＩＤおよびサムネイル画像を含むコンテンツデータを受信したか否かが判断される。ステップＳ５２において、表示装置３の制御部３１により、ストレージ装置１から送信されたＩＤおよびサムネイル画像を含むコンテンツデータを受信していないと判断された場合には、ステップＳ５３に進む。そして、ステップＳ５３において、表示装置３の制御部３１により、ＩＤおよびサムネイル画像を含むコンテンツデータの受信可能な時間が経過した（受信タイムアウト）か否かが判断される。そして、ステップＳ５３において、ＩＤおよびサムネイル画像を含むコンテンツデータの受信可能な時間が経過したと判断された場合には、第２実施形態による再生フローが終了する。また、ステップＳ５３において、ＩＤおよびサムネイル画像を含むコンテンツデータの受信可能な時間が経過していないと判断された場合には、ステップＳ５２に戻る。
【００６７】
また、ステップＳ５２において、表示装置３の制御部３１により、ストレージ装置１から送信されたＩＤおよびサムネイル画像を含むコンテンツデータを受信したと判断された場合には、ステップＳ５４に進む。
【００６８】
そして、第２実施形態では、ステップＳ５４において、表示装置３の制御部３１により、ストレージ装置１から送信されたＩＤおよびサムネイル画像を含むメタデータのうち、表示装置３に接続されている可搬型記憶媒体４のＩＤと一致するメタデータが選択され、メタデータのサムネイル画像が表示部３４に表示される。すなわち、制御部３１は、可搬型記憶媒体４のＩＤと一致するデータを選択する。また、ステップＳ５４において、可搬型記憶媒体４のＩＤと一致しないと判断されたデータは、一致しないと判断した際に、表示装置３の制御部３１により消去される。
【００６９】
その後、ステップＳ５５において、表示装置３の制御部３１により、再生したいコンテンツデータの要求操作（選択操作）がユーザにより行われたか否かが判断される。そして、ステップＳ５５において、再生したいコンテンツデータの要求操作がユーザにより行われたと判断された場合には、ステップＳ５６に進む。また、ステップＳ５５において、再生したいコンテンツデータの要求操作がユーザにより行われなかったと判断された場合には、再生したいコンテンツデータの要求操作がユーザにより行われたと判断されるまで、ステップＳ５５の判断が繰り返される。
【００７０】
そして、ステップＳ５６において、表示装置３の制御部３１により、ユーザにより選択されたコンテンツデータが表示部３４に再生表示され、第２実施形態による再生フローが終了する。
【００７１】
なお、第２実施形態のその他の動作および効果は、上記第１実施形態の動作および効果と同様である。
【００７２】
（第３実施形態）
次に、図１０、図１３および図１４を参照して、第３実施形態によるデータ再生システムについて説明する。この第３実施形態では、表示装置３に接続された可搬型記憶媒体４のＩＤと一致するコンテンツデータが表示装置３の制御部３１により選択される上記第１および第２実施形態と異なり、表示装置３に接続された可搬型記憶媒体４のＩＤと一致するコンテンツデータがストレージ装置１の制御部１１により選択される例について説明する。なお、第３実施形態によるデータ再生システムの構成は、上記第１および第２実施形態によるデータ再生システムの構成と同様なので、構成の説明は省略する。
【００７３】
次に、第３実施形態によるデータ再生システムのコンテンツデータの再生フロー（再生装置３の制御部３１およびストレージ装置１の制御部１１による制御フロー）について説明する。なお、ステップＳ２１〜ステップＳ２５は、上記第１および第２実施形態と同様の動作なので、その説明を省略する。
【００７４】
図１３および図１４に示すように、ステップＳ６１において、表示装置３の制御部３１により、ストレージ装置１に保存されているコンテンツデータ（可搬型記憶媒体４のＩＤおよびコンテンツデータのサムネイル画像を含む）のメタデータ要求信号、および、接続された可搬型記憶媒体４のＩＤがストレージ装置１に送信される。
【００７５】
一方、図１３に示すように、ステップＳ７１において、ストレージ装置１の制御部１１により、表示装置３から送信された可搬型記憶媒体４のＩＤを受信したか否かが判断される。そして、ステップＳ７１において、表示装置３から送信された可搬型記憶媒体４のＩＤを受信したと判断された場合には、ステップＳ７２に進む。また、ステップＳ７１において、表示装置３から送信された可搬型記憶媒体４のＩＤを受信していないと判断された場合には、表示装置３から送信された可搬型記憶媒体４のＩＤを受信したと判断されるまで、ステップＳ７１の判断が繰り返される。
【００７６】
そして、ステップＳ７２において、ストレージ装置１の制御部１１により、表示装置３から送信されたメタデータ要求信号を受信したか否かが判断される。そして、ステップＳ７２において、表示装置３から送信されたメタデータ要求信号を受信したと判断された場合には、ステップＳ７３に進む。また、ステップＳ７２において、表示装置３から送信されたメタデータ要求信号を受信していないと判断された場合には、表示装置３から送信されたメタデータ要求信号を受信したと判断されるまで、ステップＳ７２の動作が繰り返される。
【００７７】
その後、第３実施形態では、ステップＳ７３において、図１３および図１４に示すように、ストレージ装置１の制御部１１により、受信した可搬型記憶媒体４のＩＤと一致するコンテンツデータが選択され、選択されたコンテンツデータのメタデータ（サムネイル画像を含む）が表示装置３側に送信される。すなわち、第３実施形態では、ストレージ装置１の制御部１１によって、再生装置３に接続された可搬型記憶媒体４のＩＤと一致するコンテンツデータが選択される。
【００７８】
一方、図１３に示すように、表示装置３の制御部３１では、ステップＳ６２において、ストレージ装置１により送信されたメタデータ（サムネイル画像を含む）を受信したか否かが判断される。そして、ステップＳ６２において、表示装置３の制御部３１により、ストレージ装置１により送信されたメタデータを受信していないと判断された場合には、ステップＳ６３に進む。そして、ステップＳ６３において、表示装置３の制御部３１により、メタデータの受信可能な時間が経過した（受信タイムアウト）か否かが判断される。そして、ステップＳ６３において、メタデータの受信可能な時間が経過したと判断された場合には、第３実施形態による再生フローが終了する。また、ステップＳ６３において、メタデータの受信可能な時間が経過していないと判断された場合には、ステップＳ６２に戻る。
【００７９】
また、ステップＳ６２において、表示装置３の制御部３１により、ストレージ装置１により送信されたメタデータを受信したと判断された場合には、ステップＳ６４に進む。そして、ステップＳ６４において、表示装置３の制御部３１により、ストレージ装置１により送信されたメタデータのサムネイル画像が表示部３４に表示される。
【００８０】
その後、ステップＳ６５において、表示装置３の制御部３１により、表示部３４に表示されたサムネイル画像に基づいて、再生したいコンテンツデータ要求操作（選択操作）がユーザにより行われたか否かが判断される。そして、ステップＳ６５において、再生したいコンテンツデータ要求操作がユーザにより行われたと判断された場合には、ステップＳ６６に進む。また、ステップＳ６５において、再生したいコンテンツデータ要求操作がユーザにより行われていないと判断された場合には、再生したいコンテンツデータ要求操作がユーザにより行われたと判断されるまで、ステップＳ６５の判断が繰り返される。
【００８１】
そして、ステップＳ６６において、図１０および図１３に示すように、表示装置３の制御部３１により、ステップＳ６５でユーザにより要求（所望）されたコンテンツデータの要求を行うコンテンツデータ要求信号がネットワークＩ／Ｆ１７を介してストレージ装置１に送信される。このコンテンツデータ要求信号には、ユーザにより要求されたコンテンツデータのメタデータが含まれている。
【００８２】
一方、図１３に示すように、ストレージ装置１の制御部１１では、ステップＳ７４において、コンテンツデータ要求信号を受信したか否かが判断される。そして、ステップＳ７４において、ストレージ装置１の制御部１１により、コンテンツデータ要求信号を受信したと判断された場合には、ステップＳ７５に進む。また、ステップＳ７４において、コンテンツデータ要求信号を受信していないと判断された場合には、コンテンツデータ要求信号を受信したと判断されるまでステップＳ７４の判断が繰り返される。
【００８３】
その後、ステップＳ７５において、図１０および図１３に示すように、ストレージ装置１の制御部１１により、ユーザにより選択されたコンテンツデータ要求信号のメタデータと不揮発性保存領域１５に保存されているコンテンツデータのメタデータとが照合される。そして、コンテンツデータ要求信号のメタデータに一致するメタデータを有するコンテンツデータが表示装置３側へ送信され、ステップＳ７１に戻る。
【００８４】
また、図１３に示すように、表示装置３の制御部３１では、ステップＳ６７において、ストレージ装置１から送信されたコンテンツデータを受信したか否かが判断される。そして、ステップＳ６７において、表示装置３の制御部３１により、ストレージ装置１から送信されたコンテンツデータを受信していないと判断された場合には、ステップＳ６８に進む。そして、ステップＳ６８において、表示装置３の制御部３１により、コンテンツデータの受信可能な時間が経過した（受信タイムアウト）か否かが判断される。そして、ステップＳ６８において、コンテンツデータの受信可能な時間が経過したと判断された場合には、第３実施形態による再生フローが終了する。また、ステップＳ６８において、コンテンツデータの受信可能な時間が経過していないと判断された場合には、ステップＳ６７に戻る。
【００８５】
また、ステップＳ６７において、表示装置３の制御部３１により、ストレージ装置１から送信されたコンテンツデータを受信したと判断された場合には、ステップＳ６９に進む。そして、ステップＳ６９において、表示装置３の制御部３１により、受信したコンテンツデータが表示部３４に再生表示され、第３実施形態による再生フローが終了する。
【００８６】
第３実施形態では、上記のように、ストレージ装置１の制御部１１を、表示装置３から送信されたＩＤと関連付けられたコンテンツデータを選択した後、選択したコンテンツデータを表示装置３に送信する制御を行うように構成することによって、表示装置３に接続された可搬型記憶媒体４のＩＤと関連付けられたコンテンツデータをストレージ装置１側で選択することができるので、表示装置３にコンテンツデータを選択させる場合と異なり、表示装置３の負荷を低減することができる。また、表示装置３から送信されたＩＤと関連付けられたコンテンツデータを選択した後、選択したコンテンツデータを表示装置３に送信する制御を行うように構成された制御部１１をストレージ装置１に設けることによって、ストレージ装置１の制御部１１により選択されたコンテンツデータのみが送信されるので、ストレージ装置１と表示装置３とを接続するネットワークの通信負荷を低減することができる。
【００８７】
（第４実施形態）
次に、図１５および図１６を参照して、第４実施形態によるデータ再生システムについて説明する。この第４実施形態では、表示装置３の制御部３１が、コンテンツ情報（メタデータ）を要求および受信した後に、ユーザが選択したコンテンツデータを要求および受信する制御を行う上記第３実施形態と異なり、表示装置３の制御部３１が、メタデータを要求せずにコンテンツデータを要求する制御を行う例について説明する。なお、第４実施形態によるデータ再生システムの構成は、上記第１〜３実施形態によるデータ再生システムの構成と同様なので、構成の説明は省略する。
【００８８】
次に、第４実施形態によるデータ再生システムのコンテンツデータの再生フローについて説明する。なお、ステップＳ２１〜ステップＳ２５は、上記第３実施形態と同様の動作なので、その説明を省略する。
【００８９】
ステップＳ８１において、図１５および図１６に示すように、表示装置３の制御部３１により、ストレージ装置１に保存されているコンテンツデータ（可搬型記憶媒体４のＩＤおよびコンテンツデータのサムネイル画像を含む）のコンテンツデータ要求信号、および、接続された可搬型記憶媒体４のＩＤがストレージ装置１に送信される。
【００９０】
一方、図１５に示すように、ステップＳ７１において、ストレージ装置１の制御部１１により、表示装置３から送信された可搬型記憶媒体４のＩＤを受信したか否かが判断される。そして、ステップＳ７１において、表示装置３から送信された可搬型記憶媒体４のＩＤを受信したと判断された場合には、ステップＳ７６に進む。また、ステップＳ７１において、表示装置３から送信された可搬型記憶媒体４のＩＤを受信していないと判断された場合には、表示装置３から送信された可搬型記憶媒体４のＩＤを受信したと判断されるまで、ステップＳ７１の判断が繰り返される。
【００９１】
その後、ステップＳ７６において、ストレージ装置１の制御部１１により、表示装置３から送信されたコンテンツデータ要求信号を受信したか否かが判断される。そして、表示装置３から送信されたコンテンツデータ要求信号を受信したと判断された場合には、ステップＳ７７に進む。
【００９２】
そして、第４実施形態では、図１５および図１６に示すように、ステップＳ７７において、ストレージ装置１の制御部１１により、受信した可搬型記憶媒体４のＩＤと一致するコンテンツデータが選択されるとともに、選択したコンテンツデータを表示装置３側に送信され、ステップＳ７１に戻る。
【００９３】
その後、図１５に示すように、ステップＳ８２において、表示装置３の制御部３１により、ストレージ装置１から送信されたコンテンツデータを受信したか否かが判断される。そして、ステップＳ８２において、表示装置３の制御部３１により、ストレージ装置１から送信されたコンテンツデータを受信していないと判断された場合には、ステップＳ８３に進む。そして、ステップＳ８３において、表示装置３の制御部３１により、コンテンツデータの受信可能な時間が経過した（受信タイムアウト）か否かが判断される。そして、ステップＳ８３において、コンテンツデータの受信可能な時間が経過したと判断された場合には、第４実施形態による再生フローが終了する。また、ステップＳ８３において、コンテンツデータの受信可能な時間が経過していないと判断された場合には、ステップＳ８２に戻る。
【００９４】
また、ステップＳ８２において、表示装置３の制御部３１により、ストレージ装置１から送信されたコンテンツデータを受信したと判断された場合には、ステップＳ８４に進む。そして、ステップＳ８４において、表示装置３の制御部３１により、ストレージ装置１から送信されたコンテンツデータに含まれるメタデータのサムネイル画像が表示部３４に表示される。
【００９５】
その後、ステップＳ８５において、表示装置３の制御部３１により、再生したいコンテンツデータ要求操作がユーザにより行われたか否かが判断される。そして、ステップＳ８５において、再生したいコンテンツデータ要求操作がユーザにより行われたと判断された場合には、ステップＳ８６に進む。また、ステップＳ８５において、再生したいコンテンツデータ要求操作がユーザにより行われていないと判断された場合には、再生したいコンテンツデータ要求操作がユーザにより行われたと判断されるまで、ステップＳ８５の判断が繰り返される。
【００９６】
そして、ステップＳ８６において、図１０および図１５に示すように、表示装置３の制御部３１により、ユーザにより要求（選択）されたコンテンツデータが表示部３４に再生表示され、第４実施形態による再生フローが終了する。
【００９７】
なお、第４実施形態のその他の動作および効果は、上記第３実施形態の動作および効果と同様である。
【００９８】
（第５実施形態）
次に、図２、図３、図５、図６、図１７および図１８を参照して、第５実施形態によるデータ再生システムについて説明する。この第５実施形態では、ストレージ装置１がコンテンツデータの情報を特定する情報データ（メタデータ）に可搬型記憶媒体４から取得したＩＤ（ユニークＩＤ）を組み込むことにより、ＩＤとコンテンツデータとを関連付けて保存する上記第１〜第４実施形態とは異なり、ストレージ装置１の不揮発性保存領域１５に関連付けリスト１５１を設けるとともに関連付けリスト１５１にＩＤとコンテンツデータとを対応させることにより、ＩＤとコンテンツデータとを関連付けて保存する例について説明する。なお、第５実施形態によるデータ再生システムの構成は、上記第１〜第４実施形態によるデータ再生システムの構成と同様なので、構成の説明は省略する。
【００９９】
次に、第５実施形態による可搬型記憶媒体４に保存されているコンテンツデータをストレージ装置１に保存する保存フロー（ストレージ装置１の制御部１１による制御フロー）について説明する。なお、第５実施形態では、可搬型記憶媒体４にはデジタルカメラなどで撮影された画像などのコンテンツデータが保存されているとする。また、ステップＳ１〜ステップＳ６は、上記第１〜第４実施形態と同様の動作なので、その説明を省略する。
【０１００】
第５実施形態では、ステップＳ７（図５参照）において、制御部１１のコンテンツデータ・固有ＩＤ関連保存手段１１２（図３参照）は、可搬型記憶媒体４から取得したＩＤとコンテンツデータとの関連付け保存処理を行う。
【０１０１】
具体的には、このステップＳ７の関連付け保存処理では、図１７に示すように、ステップＳ９１において、制御部１１により、可搬型記憶媒体４から取得したコンテンツデータとＩＤとを対応させるための関連付けリスト１５１（図１８参照）が不揮発性保存領域１５（図２参照）に追加される。その後、ステップＳ９２において、制御部１１により、コンテンツデータとＩＤとが対応させて不揮発性保存領域１５の関連付けリスト１５１に保存される。これにより、可搬型記憶媒体４から取得したＩＤ（記憶媒体識別情報）とコンテンツデータとが関連付け保存される。なお、関連付けリスト１５１は、本発明の「リスト」の一例である。なお、第５実施形態のその他の動作は、上記第１〜第４実施形態と同様である。
【０１０２】
第５実施形態では、上記のように、可搬型記憶媒体４に保存されているコンテンツデータを不揮発性保存領域１５に保存する際に、コンテンツデータと可搬型記憶媒体４のＩＤとを対応させた関連付けリスト１５１を作成することにより、可搬型記憶媒体４のＩＤをコンテンツデータに関連付けて不揮発性保存領域１５に記憶することによって、可搬型記憶媒体４のＩＤとコンテンツデータとが一体化できない場合にも、関連付けリスト１５１により、コンテンツデータと可搬型記憶媒体４のＩＤとを容易に関連付けることができる。
【０１０３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０４】
たとえば、上記第１〜第５実施形態では、可搬型記憶媒体をストレージ装置に接続した場合に、可搬型記憶媒体のコンテンツデータおよびＩＤなどをストレージ装置に保存した例について示したが、本発明はこれに限らない。たとえば、図１９に示す第１〜第５実施形態の変形例のように、内部ネットワーク上のパーソナルコンピュータ２０１に可搬型記憶媒体４を接続した際に、可搬型記憶媒体４のコンテンツデータおよびＩＤなどをストレージ装置１に転送するとともに保存するようにしてもよい。
【０１０５】
具体的には、図１９に示すように、第１〜第５実施形態の変形例では、データ再生システム２００は、ルータ２と接続されたパーソナルコンピュータ２０１が接続されている。このパーソナルコンピュータ２０１は、制御部２０１ａを有している。制御部２０１ａは、可搬型記憶媒体４がパーソナルコンピュータ２０１に接続された際に、可搬型記憶媒体４のコンテンツデータ（画像データ）および可搬型記憶媒体４のユニークＩＤ（ＩＤ）などを、ルータ２を介して、ストレージ装置１に転送するように構成されている。これにより、ストレージ装置１に直接的に可搬型記憶媒体４を接続することなく、ストレージ装置１に可搬型記憶媒体４のコンテンツデータ（画像データ）および可搬型記憶媒体４のユニークＩＤ（ＩＤ）などを保存することが可能となる。なお、制御部２０１ａは、本発明の「第３制御部」の一例である。
【０１０６】
また、上記第１〜第５実施形態では、本発明のデータ再生システムの一例として、内部ネットワークとしてのホームネットワークに本発明のデータ再生システムを適用する例を示したが、本発明はこれに限らない。たとえば、外部ネットワークとしてのインターネットおよび会社内のイントラネットにも本発明を適用可能である。
【０１０７】
また、上記第１〜第５実施形態では、本発明の再生装置として電気的なフォトフレームからなる表示装置を用いる例を示したが、本発明はこれに限らない。本発明では、パーソナルコンピュータのディスプレイなどのネットワークに接続可能な表示部を有する機器を再生装置として用いればよい。
【０１０８】
また、上記第１〜第５実施形態では、本発明の再生装置として表示装置を用いる例を示したが、本発明はこれに限らない。たとえば、再生装置として音声を再生することが可能な機器を用いてもよい。この場合、コンテンツデータは、音楽などの音声データである。
【符号の説明】
【０１０９】
１  ストレージ装置
３  表示装置（再生装置）
４  可搬型記憶媒体
１１  制御部（第１制御部）
１５  不揮発性保存領域（ストレージ部）
３１  制御部（第２制御部）
３９  筐体（装置本体）
１００、２００  データ再生システム
１５１  関連付けリスト（リスト）
２０１  パーソナルコンピュータ（コンピュータ）
２０１ａ  制御部（第３制御部）
【図１】
2011086352.tif 000003
【図２】
2011086352.tif 000004
【図３】
2011086352.tif 000005
【図４】
2011086352.tif 000006
【図５】
2011086352.tif 000007
【図６】
2011086352.tif 000008
【図７】
2011086352.tif 000009
【図８】
2011086352.tif 000010
【図９】
2011086352.tif 000011
【図１０】
2011086352.tif 000012
【図１１】
2011086352.tif 000013
【図１２】
2011086352.tif 000014
【図１３】
2011086352.tif 000015
【図１４】
2011086352.tif 000016
【図１５】
2011086352.tif 000017
【図１６】
2011086352.tif 000018
【図１７】
2011086352.tif 000019
【図１８】
2011086352.tif 000020
【図１９】
2011086352.tif 000021